(57)【要約】      （修正有）【課題】鍵などの小物を衣服の胸ポケットの内側に保持することができ、想定外の力がかかったような場合でもストラップの部分で切断されにくく、ＩＤカード２１が裏返しになりにくいＩＤカードホルダーを提供する。【解決手段】ＩＤカードホルダー１００は、リール部１とストラップ部１１とを有する。ストラップ部１１は、ＩＤカード２１などの携帯品を装着するための結合具と、幅広の帯状ストラップ１３とを有しており、帯状ストラップ１３はリール部１内に巻き取り収納が可能である。結合具には、簡単な操作でＩＤカード２１の表裏を逆にした状態で保持可能な回転式結合フック又は着脱式結合フックを用いる。リール部１には、スリット状をした引出口９と、衣服の胸ポケットに固定されるためのクリップ５を有しており、クリップ５には小物装着用孔７を形成する。【選択図】図３
0003184032.tif 000002
【実用新案登録請求の範囲】
【請求項１】
ＩＤカードと結合されて使用されるＩＤカードホルダーであって、
前記ＩＤカードホルダーは、
前記ＩＤカードと結合される結合具と、衣服の胸ポケットに固定されるクリップとを有するものであり、
該クリップには、
小物装着用孔が形成されている
ことを特徴とするＩＤカードホルダー。
【請求項２】
ＩＤカードと結合されて使用されるＩＤカードホルダーであって、
前記ＩＤカードホルダーは、
リール部とストラップ部とを有するものであり、
前記ストラップ部は、
前記ＩＤカードと結合される結合具と、幅広の帯状ストラップとを有するものであり、
該帯状ストラップは、
前記リール部に巻き取り収納が可能なものであり、
該リール部は、
前記帯状ストラップが引き出されるスリット状をした引出口と、衣服の胸ポケットに固定されるクリップとを有するものであり、
該クリップには、
小物装着用孔が形成されている
ことを特徴とするＩＤカードホルダー。
【請求項３】
ＩＤカードと結合されて使用されるＩＤカードホルダーであって、
前記ＩＤカードホルダーは、
リール部とストラップ部とを有するものであり、
前記ストラップ部は、
前記ＩＤカードと結合される結合具と、幅広の帯状ストラップとを有するものであり、
前記結合具は、
前記ＩＤカードの表裏を逆にした状態で保持可能なものであり、
前記帯状ストラップは、
前記リール部に巻き取り収納が可能なものであり、
該リール部は、
前記帯状ストラップが引き出されるスリット状をした引出口と、衣服の胸ポケットに固定されるクリップとを有するものであり、
該クリップには、
小物装着用孔が形成されている
ことを特徴とするＩＤカードホルダー。
【請求項４】
請求項１乃至請求項３に記載のＩＤカードホルダーであって、
前記小物装着用孔は、
前記クリップに突起部が形成され、該突起部が穿孔されて形成されたものである
ことを特徴とするＩＤカードホルダー。
【請求項５】
請求項１乃至請求項３に記載のＩＤカードホルダーであって、
前記小物装着用孔は、
前記クリップの下端部を、チューブ状に折り曲げて形成されたものである
ことを特徴とするＩＤカードホルダー。
【考案の詳細な説明】
【技術分野】
【０００１】
本考案は、身分証明書（以下、単にＩＤカードと呼ぶ。）と結合されて使用されるＩＤカードホルダーに関するものである。
【背景技術】
【０００２】
近年、ＩＤカードは、その内部にＩＣ回路が組み込まれており、建物への出入りを管理するためのセキュリティ・チェックや事務所内でのコピー機の使用状況の把握、さらには社員食堂での飲食代の清算などにも使用されている。
【０００３】
これらのＩＤカード２１は、ＩＤカードホルダー１００を用いて胸ポケット２９に固定したり、ネック用の紐２を付けて首からぶら下げたりして使用をするのが一般的である（図８）。
【０００４】
しかしながら、従来のＩＤカードホルダー１００は、ロッカー用の鍵などの小物を引っ掛ける部分がなかった。したがって、ロッカー用の鍵などの小物は、別途、キーホルダーを使用したり、財布の中に入れたりするなどの工夫が必要になっており、その取扱いが煩わしいものであった。
【０００５】
また、ＩＤカード２１を使用する機器の多くは、ＩＤカード２１を情報読取装置に接近させないとＩＣ回路の情報が読み取れないという問題点がある。すなわち、ＩＤカード２１の使用者は、使用をするたびごとに身をかがめたり、カードケースからＩＤカード２１を取り出したりして、それを情報読取装置に接近させて情報を読み込ませる必要があり、この作業は使用者にとっては極めて煩わしいものであった。
【０００６】
そこで、ＩＤカード２１に使用されるストラップとして、内部に渦巻きバネなどを使用した伸縮自在のストラップを有するリール式のＩＤカードホルダーが提供されている（特許文献１〜特許文献５）。
【０００７】
リール式のＩＤカードホルダーを使用する際には、リール内の渦巻きバネの巻戻し力よりも強い力でＩＤカード２１などを引っ張り、リール内に巻回されている紐状をしたストラップの部分を引っ張り出すことによって、ＩＤカード２１などを情報読取装置に接近させることができる。したがって、ＩＤカード２１の使用者は、身をかがめたり、カードケースからＩＤカード２１を取り出したりして、それを情報読取装置に接近させて情報を読み込ませる必要がない。
【０００８】
一方、ＩＤカード２１の使用後は、ＩＤカード２１を引っ張っている力を弱めれば、渦巻きバネの巻戻し作用によって、紐状をしたストラップがリール内に自動的に巻戻されて収納されるためにコンパクトで便利なものである。
【先行技術文献】
【特許文献】
【０００９】
【特許文献１】特開２００６−０４３２４２号公報
【特許文献２】特開２００８−２６４２９６号公報
【特許文献３】実用新案登録第３０４９２０２号公報
【特許文献４】実用新案登録第３０５４６８２号公報
【特許文献５】実用新案登録第３０６８８４０号公報
【考案の概要】
【考案が解決しようとする課題】
【００１０】
しかしながら、上述した特許文献１乃至特許文献５に記載されているＩＤカードホルダーは、ストラップとして細い紐が使用されているのが一般的であった。そして、これらのＩＤカードホルダーは、長期間にわたる使用によって紐の材質が劣化して、想定外の強い力がかかったりしたような場合には、突然にストラップの紐の部分で切断するという問題点があった。
【００１１】
加えて、上述したＩＤカードホルダーをＩＤカードなどに使用をしたような場合には、使用者にとっては知らない間に紐が捩れてＩＤカードが裏返しになる場合があった。そして、ＩＤカードの表面にのみ使用者の写真や氏名等が記載されているような場合であって、ＩＤカードが裏返しになっているような場合には、社外からのお客様に対して失礼となるような場合も多々認められていた。
【００１２】
本考案は、ロッカー用の鍵などの小物を引っ掛けることができるとともに、強い力がかかったりしたような場合でもストラップの部分で切断されにくく、ＩＤカードが裏返しになりにくいＩＤカードホルダーの提供を目的としている。
【課題を解決するための手段】
【００１３】
本考案は、上述したような従来から使用されているＩＤカードホルダーの問題点を解決するものである。
【００１４】
請求項１に記載された考案は、
ＩＤカードと結合されて使用されるＩＤカードホルダーであって、
前記ＩＤカードホルダーは、
前記ＩＤカードと結合される結合具と、衣服の胸ポケットに固定されるクリップとを有するものであり、
該クリップには、
小物装着用孔が形成されている
ことを特徴としている。
【００１５】
請求項１に記載の考案によると、鍵などの小物を衣服のポケットの内側に保持することができるので外部から見えることもない。また、何らかの理由でクリップから鍵などの小物が外れたような場合でも、ポケットの内部に落下してそのまま保持されるので紛失をすることもない。
【００１６】
請求項２に記載した考案は、
ＩＤカードと結合されて使用されるＩＤカードホルダーであって、
前記ＩＤカードホルダーは、
リール部とストラップ部とを有するものであり、
前記ストラップ部は、
前記ＩＤカードと結合される結合具と、幅広の帯状ストラップとを有するものであり、
該帯状ストラップは、
前記リール部に巻き取り収納が可能なものであり、
該リール部は、
前記帯状ストラップが引き出されるスリット状をした引出口と、衣服の胸ポケットに固定されるクリップとを有するものであり、
該クリップには、
小物装着用孔が形成されている
ことを特徴としている。
【００１７】
請求項２に記載の考案によると、リール式のＩＤカードホルダー１００を用いるので、ＩＤカード２１の使用者は、身をかがめたり、カードケースからＩＤカードを取り出したりして、それを情報読取装置に接近させて情報を読み込ませる必要がない。また、ＩＤカード２１の使用後は、ＩＤカードを引っ張っている力を弱めれば、渦巻きバネの巻戻し作用によって、紐状をしたストラップがリール内に自動的に巻戻されて収納されるのでコンパクトで便利なものである。
【００１８】
加えて、本考案に係わるＩＤカードホルダーは、ストラップの部分に幅広の帯状ストラップを用いている。したがって、細い紐を用いたストラップに比べてその強度を向上させることができるので切断されにくくすることができる。加えて、ストラップが幅広であるので、紐状のストラップに比べて捩れにくくすることができる。
【００１９】
また、リール部は、帯状ストラップが引き出される引出口の形状をスリット状にしている。したがって、帯状ストラップをさらに捩れにくくすることができるので、ＩＤカードが裏返しになりにくくすることができる。
【００２０】
請求項３に記載の考案は、
ＩＤカードと結合されて使用されるＩＤカードホルダーであって、
前記ＩＤカードホルダーは、
リール部とストラップ部とを有するものであり、
前記ストラップ部は、
前記ＩＤカードと結合される結合具と、幅広の帯状ストラップとを有するものであり、
前記結合具は、
前記ＩＤカードの表裏を逆にした状態で保持可能なものであり、
前記帯状ストラップは、
前記リール部に巻き取り収納が可能なものであり、
該リール部は、
前記帯状ストラップが引き出されるスリット状をした引出口と、衣服の胸ポケットに固定されるクリップとを有するものであり、
該クリップには、
小物装着用孔が形成されている
ことを特徴としている。
【００２１】
請求項３に記載の考案によると、請求項２に記載した考案の特徴に加えて、使用目的に応じてＩＤカードの表裏を逆にした状態（裏返しの状態）のままで保持することができる。したがって、通常の業務ではＩＤカードの表面を使用し、裏面には社外からのお客様に接する際に使用するような場合分けがされているＩＤカードにも便利なものである。
【００２２】
請求項４に記載の考案は、請求項１乃至請求項３のいずれか一項に記載のＩＤカードホルダーであって、
前記小物装着用孔は、
前記クリップに突起部が形成され、該突起部が穿孔されて形成されたものである
ことを特徴としている。
【００２３】
請求項５に記載の考案は、請求項１乃至請求項３のいずれか一項に記載のＩＤカードホルダーであって、
前記小物装着用孔は、
前記クリップの下端部を、チューブ状に折り曲げて形成されたものである
ことを特徴としている。
【００２４】
請求項４又は請求項５に記載の考案によると、様々な形状をしたクリップに小物装着用孔を形成することができる。また、クリップに比較的安価な手段で小物装着用孔を形成することができる。
【考案の効果】
【００２５】
本考案によるＩＤカードホルダーは、衣服の胸ポケットに固定するクリップの部分に小物装着用孔を設けるようにした。クリップに小物装着用孔を設けることによって、鍵などの小物が胸ポケットの内側に維持されるので外から見えることがない。また、何らかの理由で鍵などの小物がクリップから外れたような場合でも、それらの小物は胸ポケットの内側に落下して保持されるので紛失することもない。
【００２６】
加えて、本考案に係わるＩＤカードホルダーは、ストラップの部分に幅広の帯状ストラップを用いている。したがって、紐を用いたストラップに比べてその強度を向上させることができるので切断されにくくすることができる。加えて、ストラップが幅広のものであり、リール部にはスリット状をした引出口を用いているので、紐状のストラップに比べて捩れにくくすることができる。したがって、ＩＤカードの表裏が逆になることもない。
【００２７】
その一方で、ＩＤカードとＩＤカードホルダーとの結合具として、回転式結合フックや着脱式結合フックを用いることによって、ＩＤカードの表裏を意図的に逆にした状態（裏返しの状態）のままで保持することもできる。
【図面の簡単な説明】
【００２８】
【図１】ＩＤカードホルダーの概略図である。
【００２９】
（ａ）正面斜視図である。
【００３０】
（ｂ）背面斜視図である。
【図２】ＩＤカードホルダーをワニ口のクリップで胸ポケットに固定した状態の概略図である。
【図３】リール式のＩＤカードホルダーの概略図である。
【００３１】
（ａ）帯状ストラップを引っ張り出した正面斜視図である。
【００３２】
（ｂ）帯状ストラップを引っ張り出した背面斜視図である。
【図４】リール本体を板バネ式のクリップで胸ポケットに固定した状態の概略図である。
【図５】小物装着用孔の変形例である。
【００３３】
（ａ）クリップに突起部を設けて小物装着用孔を形成。
【００３４】
（ｂ）クリップの下端部をチューブ状に折り曲げて小物装着用孔を形成。
【図６】１８０度回転式結合フックの概略図である。
【００３５】
（ａ）下部回転部品が回転初期（（ｃ））の状態の斜視図である。
【００３６】
（ｂ）下部回転部品が回転前の要部正面図である。
【００３７】
（ｃ）下部回転部品が回転初期（（ａ）の状態）の要部正面図である。
【００３８】
（ｄ）下部回転部品が回転末期の状態の要部正面図である。
【図７】着脱式結合フックの装着前の概略図である。
【図８】ネック用の紐を用いてＩＤカードホルダーを首から吊り下げた状態図である。
【考案を実施するための形態】
【００３９】
以下において、本考案に係わるＩＤカードホルダー１００の実施の形態について図１〜図８を用いて詳細に説明する。
＜実施例１＞
実施例１に係わるＩＤカードホルダー１００を、図１及び図２を用いて詳細に説明する。このＩＤカードホルダー１００は、例えば、ＩＤカード２１の入ったＩＤカードケース２３を介して結合されて使用されるものである。
【００４０】
ＩＤカードホルダー１００は、その下方にカードケース２３の結合用孔２５に結合するための結合具１４、例えば、スナップ式の結合具１４と、その裏面に衣服の胸ポケット２９に固定するためのクリップ５とを有するものである。
【００４１】
ＩＤカード２１自体に結合用孔２５を有しており、ＩＤカードケース２３が必要とされないような場合もある。このような場合には、ＩＤカードホルダー１００とＩＤカード２１とが結合具１４によって直接的に結合される。なお、図１では、ＩＤカード２１がＩＤカードケース２３内に装着されている一実施例が図示されている。
【００４２】
クリップ５の種類としては、例えば、ワニ口（図１（ｂ））や後述するような板バネなどのクリップ５を用いることができる。本実施例では、ワニ口をしたクリップ５の下方にロッカー用の鍵２７などの小物を、リング８などを介して装着するための小物装着用孔７を設けている（図１（ｂ））。
【００４３】
クリップ５に小物装着用孔７を設けることによって、鍵２７などの小物が胸ポケット２９の内側に保持されるので外部から見えることがない（図２）。また、何らかの理由でクリップ５から鍵２７などの小物が外れたような場合でも、鍵２７などの小物は胸ポケット２９の内部に落下してそのまま保持されるので紛失をすることもない。
＜実施例２＞
ストラップの部分が伸縮自在な構造をしたリール式のＩＤカードホルダー１００の実施例２について説明する。実施例１の場合と同様に、このＩＤカードホルダー１００も、ＩＤカード２１と直接的に、又は、ＩＤカード２１の入ったＩＤカードケース２３を介して結合されて使用されるものである。
１．リール式のＩＤカードホルダー１００
実施例２に係わるＩＤカードホルダー１００は、主にリール部１とストラップ部１１とで構成されている（図３（ａ））。このＩＤカードホルダー１００は、帯状ストラップ１３をリール部１に巻き取って収納した状態で、ネック用の紐２５などを係止具３で固定し、首から吊り下げて使用をしたり、上着やシャツなどの衣服の胸ポケット２９にクリップ５で固定して使用をすることができる（図３、図８）。
２．リール部１
リール部１は、図示されていない渦巻きバネが内臓されているリール本体２と、その上方にはネック用の紐２５などを固定するための孔部を有する係止具３と、その裏側には上着やシャツなど衣服の胸ポケット２９に固定するためのクリップ５と、帯状ストラップ１３を引き出すためのスリット状をした引出口９を有するものである（図３（ａ）、（ｂ））。
【００４４】
なお、渦巻きバネが内臓されているリール本体２は、巻尺やコードリールなどにおいて一般的に使用されている技術を使用している。すなわち、渦巻きバネの巻戻し力よりも強い力で結合フック１５の部分を引っ張ることによって、リール内に巻回されている帯状ストラップ１３を引出口９から引き出すことができる。
【００４５】
一方、結合フック１５から手を放せば、渦巻きバネに蓄積されたエネルギーによって帯状ストラップ１３の部分はリール内に巻戻されるものである。なお、この帯状ストラップ１３の部分を伸縮自在にする技術は、一般的に使用されている技術なので詳細な説明は省略する。
【００４６】
そして、渦巻きバネの巻戻し力よりも強い力でＩＤカード２１などを引っ張り、リール内に巻回されている紐状をしたストラップの部分を引き出すことによって、ＩＤカード２１などを情報読取装置に接近させることができる。したがって、ＩＤカード２１の使用者は、カードケース２３からＩＤカード２１を取り出したり、身をかがめたりして情報読取装置に接近させて、その情報を読み込ませる必要がない。
【００４７】
一方、ＩＤカード２１の使用後は、ＩＤカード２１を引っ張っている力を弱めれば、渦巻きバネの巻戻し作用によって帯状ストラップ１３がリール内に巻戻されて収納される。なお、リール部１に、巻尺やコードリールなどにおいて一般的に用いられているストッパ機能（または、ラッチ機能とも呼ばれている。）やその解除機能を設けることもできる。
３．クリップ５
本考案に係わるＩＤカードホルダー１００は、リール部１の裏面にクリップ５を設置して、衣服の胸ポケット２９に固定できるようにした（図３（ｂ））。
【００４８】
このクリップ５としては、例えば、弾力性がある板バネやワニ口などのクリップ５を用いることができる。本実施例では、板バネを用いるクリップ５の例を示しており（図３（ｂ）、図４）、リール本体２の裏面に設置されている。
【００４９】
図３（ｂ）に示される本実施例では、クリップ５の下部の反り返り部分にロッカー用の鍵２７などの小物を、リング８などを介して装着するための小物装着用孔７を設けるようにした（図４）。この反り返り部分に小物装着用孔７を設けることによって、リング８などの取り付けが容易になり使いやすくすることができる。
【００５０】
このクリップ５でリール部１を胸ポケット２９に固定した場合には、鍵２７などの小物が胸ポケット２９の内側に保持されるので外部から見えることもない（図４）。また、何らかの理由でクリップ５から鍵２７などの小物が外れたような場合でも、胸ポケット２９の内部に落下するので紛失をすることもない。
【００５１】
図３（ｂ）では、クリップ５の下部に小物装着用孔７を穿孔した例を示しているが、クリップ５の中央部に樹脂製または金属製などの突起部１０を形成し、その突起部１０を穿孔して小物装着用孔７を形成したり（図５（ａ））、クリップ５の下端部を折り曲げてチューブ状にしたりして（図５（ｂ））、小物装着用孔７を形成することもできる。
【００５２】
これらの手段を用いることによって、様々な形状をしたクリップ５に小物装着用孔７を形成することができる。また、クリップ５の下端部を折り曲げてチューブ状にした小物装着用孔７を形成することによって、製造が容易となり、コスト低減をすることができる。
４．ストラップ部１１
ストラップ部１１は、ＩＤカード２１やＩＤカードケース２３などの結合用孔２５と結合させるための結合具、例えば、結合フック１５と、幅広の帯状ストラップ１３とを有するものである（図３参照。ただし、ＩＤカード２１がＩＤカードケース２３内に装着されている状態が図示されている。）。結合フック１５の部分を下方向に引っ張ることによって、リール本体２内に巻回されている帯状ストラップ１３をスリット状の引出口９から引き出すことができる。図３では、結合フック１５として「？字状（ハテナ）」のものを用いた例を示しているが、この他にも鉤状のものなど多様な形状をした結合フック１５を用いることができる。
【００５３】
伸縮自在の帯状ストラップ１３は、通常は上述したリール本体２の内部に巻回されて収納されており（図８）、結合フック１５の部分を指で摘まんで、矢印方向に引っ張ることによってリール本体２から引き出すことができる（図３（ａ）、（ｂ））。
【００５４】
ここで、本考案に係わるＩＤカードホルダー１００では、紐状をしたストラップではなく、幅広の帯状ストラップ１３を用いるようにした。幅広の帯状ストラップ１３を用いることによって、その強度を向上させることができる。したがって、長期間にわたって使用を続けたり、想定外の強い力がかかったりしたような場合でも、帯状ストラップ１３の部分で切断されにくくすることができる。
【００５５】
加えて、スリット状をした引出口９と幅広の帯状ストラップ１３を用いることによって、捩じれに対する反発力が増加するのでさらに捩れにくくすることができる。したがって、使用者にとっては知らない間に紐が捩れて、ＩＤカード２１の表裏が逆になるというような問題点（裏返しになるという問題点）をほぼ解消することができる。
【００５６】
すなわち、ＩＤカード２１の表面にのみ使用者の写真や氏名等が記載されているような場合であって表裏が逆になることによってそれらが見えなくなり、社外からのお客様に対して失礼となるという問題点を解消することができる。
５．結合フック１５
上述したように、本考案に係わるＩＤカードホルダー１００では、幅広の帯状ストラップ１３やスリット状をした引出口９を用いることを特徴としている。したがって、表裏のあるようなＩＤカード２１などに使用をしたような場合には、使用者にとっては知らない間に紐が捩れて、ＩＤカード２１の表裏が逆になるという問題点をほぼ解消することができる。
【００５７】
しかしながら、通常の業務ではＩＤカード２１の表面を使用し、裏面には社外からのお客様に接する際に使用することを目的とするように、場合分けがされているＩＤカード２１なども存在する。そして、目的に応じてＩＤカード２１の表裏をあえて逆にした状態で使用をしたいような場合もある。すなわち、ＩＤカード２１の表面を社内用、裏面を社外用にしたいような場合がある。
【００５８】
図６に、回転式結合フック１７を用いて、意図的にＩＤカード２１を約１８０度回転させて、その表裏を逆にした状態で装着することが可能な場合の実施例を示す。この回転式結合フック１７は市販されているものであり、上部回転部品１７ａと下部回転部品１７ｂが結合溝１７ｃの内部で嵌合された構造のものである。
【００５９】
上部回転部品１７ａは、その内側に突起状の嵌合凸部１７ｆを持つ一対の嵌合腕１７ｅを有している。一方、下部回転部品１７ｂは、嵌合凸部１７ｆと嵌合する凹状をした一対の嵌合溝１７ｄを有している。そして、嵌合凸部１７ｆと嵌合溝１７ｄとが嵌合することによって、下部回転部品１７ｂを１８０度回転させた状態のまま保持することができるものである。なお、図６に示される回転式結合フック１７は、一般的に市販されているものなので詳細な説明は省略する。
【００６０】
図７に、着脱式結合フック１９を用いて、ＩＤカード２１の表裏を逆にすることが可能な場合の実施例を示す。この着脱式結合フック１９は、一対の上方の雌形をした嵌合穴を有する上部装着部品１９ａと、下方の雄形のフォーク状をした下部装着部品１９ｂとで構成されおり、それぞれの脱着を可能とするものである。
【００６１】
なお、図７に示される着脱式結合フック１９では、上部を雌形に、下部を雄形にしているが、上部を雄形に、下部を雌形にすることもできる。また、図７に示される着脱式結合フック１９は、一般的に市販されているものなので詳細な説明は省略する。
【００６２】
これらの回転式結合フック１７や着脱式結合フック１９を用いることによって、使用目的に応じて簡単な操作でＩＤカード２１の表裏を逆にした状態（裏返しの状態）のままで保持することができる。
【産業上の利用可能性】
【００６３】
本考案に係わるＩＤカードホルダーは、ＩＤカード又はＩＤカードが装着されているＩＤカードケースを、クリップなどで胸ポケットなどに固定したり、ネック用の紐などで首から吊り下げたりするものに利用をすることができる。
【符号の説明】
【００６４】
１    リール部
２    リール本体
３    係止具
５    クリップ
７    小物装着用孔
８    リング
９    引出口
１０    突起部
１１    ストラップ部
１３    帯状ストラップ
１４    結合具
１５    結合フック
１６    安全ピン
１７    回転式結合フック
１７ａ    上部回転部品
１７ｂ    下部回転部品
１７ｃ    結合溝
１７ｄ    嵌合溝
１７ｅ    嵌合腕
１７ｆ    嵌合凸部
１９    着脱式結合フック
１９ａ    上部装着部品（雌形）
１９ｂ    下部装着部品（雄形）
２１    ＩＤカード
２３    カードケース
２５    結合用孔
２６    ネック用の紐
２７    鍵（小物）
２９    胸ポケット
１００  ＩＤカードホルダー
【図１】
0003184032.tif 000003
【図２】
0003184032.tif 000004
【図３】
0003184032.tif 000005
【図４】
0003184032.tif 000006
【図５】
0003184032.tif 000007
【図６】
0003184032.tif 000008
【図７】
0003184032.tif 000009
【図８】
0003184032.tif 000010